(57)【要約】  本発明は、音楽入力信号（１）の速度の曖昧さの指標を決定する方法を説明する。本方法は、候補速度（２）をそれぞれの強度に従い格付けする段階、及び格付けされた候補速度（２’）の互いの関係を有する速度体系（４）を編集する段階、を有する。更に、本発明は、音楽入力信号（１）の速度の曖昧さの指標の決定に適したシステム（７）を説明する。
2007519048.tif 000002
【特許請求の範囲】
【請求項１】
方法であって、音楽入力信号の速度の曖昧さの指標を決定し、前記方法は：
音楽入力信号の候補速度を識別する段階；
前記候補速度をそれぞれの強度に従い格付けする段階；
前記格付けされた候補速度の互いの関係を有する速度体系を編集する段階
を有する、方法。
【請求項２】
主要速度及び如何なる従属速度も、前記候補速度の中で識別される、請求項１記載の方法。
【請求項３】
前記速度の曖昧さの体系は、前記音楽入力信号に割り当てられる、請求項１又は請求項２記載の方法。
【請求項４】
前記速度の曖昧さの体系は、音楽ファイル内の前記音楽入力信号と結合される、請求項３記載の方法。
【請求項５】
システムであって、音楽入力信号の速度の曖昧さの指標を決定し、前記システムは：
前記音楽入力信号の候補速度を識別する速度識別装置；
前記候補速度をそれらの相対強度に従い格付けする格付け装置；及び
前記格付けされた候補速度の互いの関係を有する速度体系を編集する速度体系コンパイラー、
を有する、システム。
【請求項６】
前記速度識別装置は、音楽入力信号を異なる周波数帯に分離する複数の帯域通過フィルター、前記周波数帯のそれぞれで候補速度を識別する複数の共振フィルターバンク、前記共振フィルターバンクのそれぞれのエネルギー値を計算する複数の共振エネルギー計算機、及び異なる周波数帯の類似の共振器の前記計算されたエネルギー値を加算する複数のエネルギー加算器を有する、請求項５記載のシステム。
【請求項７】
音声処理装置であって、請求項１乃至４の何れか記載の方法に従い生成された特定の速度体系に従い楽曲を選択する、音声処理装置。
【請求項８】
請求項５又は６の何れか記載のシステムを有する、請求項７記載の音声処理装置。
【請求項９】
特定の速度体系に基づきデータベースから音楽データファイルを選択する音楽問い合わせシステムを有する、請求項７又は８記載の音声処理装置。
【請求項１０】
連続する楽曲間で最小限の速度の不一致を有するクロスフェードが達成されるよう、ユーザーが決定した速度体系に従い楽曲を音楽データベースから選択する自動ＤＪ装置を有する、請求項７乃至９の何れか記載の音楽処理装置。
【請求項１１】
運動器具又はトレーニング装置であって、請求項７乃至９の何れか記載の音声処理装置を有し、速度体系に基づき所望の速度で運動するユーザーの要件に適するよう楽曲を選択する、運動器具又はトレーニング装置。
【請求項１２】
コンピュータープログラムであって、プログラム可能な音声処理装置のメモリーに直接読み込み可能であり、前記プログラムが前記音声処理装置で実行されると請求項１乃至４の何れか記載の方法の段階を実行するソフトウェアコードを有する、コンピュータープログラム。
【請求項１３】
記憶媒体であって、音楽データファイル及び請求項３又は４記載の方法により音楽データファイルと接続又は結合され音楽データファイルに関連した速度体系を格納する、記憶媒体。
【発明の詳細な説明】
【技術分野】
【０００１】
本発明は、一般に音楽入力信号の速度の曖昧さの指標を決定するシステム及び方法、及び速度体系に従い楽曲を選択する音声処理装置に関する。
【背景技術】
【０００２】
楽曲の速度又は拍子は、人間が音楽に感じる知覚可能な概念である。人間は、楽曲が単一の速度を有していると常に知覚するのではないことが知られている。楽曲の速度の再現構造に依存して、ある視聴者は例えば最も速い拍子に合わせて踊ったり拍子を取ったりするが、他の者はより遅い拍子に合わせてより落ち着いた踊り又は拍子をとる。視聴者に楽曲に合わせて拍子を取るよう頼むと、視聴者は異なる速度で拍子を取ることが示されている。拍子を取る速度は、一般に音楽の拍に依存するスカラー値を有する整数スカラーにより関係付けられる。例えば１８０ｂｐｍのような、かなり速いパルスを有する楽曲では、半分のパルス速度で拍子を取る視聴者もいる。一方、比較的遅い楽曲では、２倍のパルス速度で拍子を取る視聴者もいる。更に、ある楽曲では、視聴者間に拍子速度に関する合意が存在する。つまり、他の楽曲より速度の認識の曖昧さが少ない。
【０００３】
特定の楽曲の速度の曖昧さは、視聴者が特定の速度又は拍を知覚する可能性の指標として考えられる。楽曲に依存して、複数の速度が異なる比率で知覚されたり、又は実質的に全ての視聴者が１つの速度又は拍に合意する場合がある。楽曲を聴く時に種々の速度を知覚する視聴者の間のこの傾向は、人間の個性と気質のためであり、リズム感の乏しい又は全くない視聴者の場合に生じる可能性のある速度追従誤差と無関係である。以下の「速度」、「拍」、「ビート・パー・ミニット」及び略称である「ｂｐｍ」の表現は全て同一の意味を有する。
【０００４】
音楽が特定の機能を提供する場合、例えば音楽が、フィットネススタジオ又は理学療法訓練で人がジョギング、サイクリング、又はローイングマシンでトレーニングする際の拍子又は速度を供給する場合、速度認識の曖昧さは問題になり得る。例えば、通常速い速度で動く人は、トレーニング又は治療プログラムでも速くジョギング又はサイクリングをする。一方、通常遅い速度を取る人は、遅いパルスで動き、結果としてトレーニングの目的を達成できない。
【０００５】
２つの楽曲の間の速度の大きな相違は、楽曲のクロスフェード又はオーバーレイを行う場合に不快な影響を有し得る。音楽のコレクションに精通している人間のＤＪは、経験に基づき次に再生する楽曲を選択するが、音楽のコレクションに関する深い知識が要求される。人間のＤＪは、特定の楽曲は、速い拍子を有する場合であっても、知覚可能な遅い拍子も有することを知っているだろう。この遅い拍子により、調和する遅い速度を有する異なる楽曲を前に再生又は次に続けて再生することが可能になる。しかしながら、多くのラジオ放送局で増加しているように、音楽の選択がコンピューターにより実行される場合、結果として生じる不快な速度の不一致は、聞くに堪えない。
【０００６】
共振フィルターバンク法、複数エージェント法及び確率論手法のような音楽入力信号から音楽の速度を引き出す種々の方法が利用可能である。従来の方法は、ｂｐｍの単一の値のみを提供するが、しばしば不正確でありそして時にはユーザーの介入を必要とする。これらの方法は、速度を知覚する際に存在する知覚の曖昧さを正確に表現できない。速度知覚の潜在的な曖昧さは、楽曲の速度を単一の値として表現することを不可能ではないにしても困難にしている。
【発明の開示】
【発明が解決しようとする課題】
【０００７】
本発明の目的は、ユーザーの介入無しに音楽入力信号の速度の曖昧さの指標を容易に提供するために利用され得るシステム及び方法を提供することである。
【課題を解決するための手段】
【０００８】
この目的のため、本発明は、本方法は、音楽入力信号の速度の曖昧さの指標を決定する方法を提供する。本発明のシステムは、音楽入力信号の候補速度を識別する段階、候補速度をそれぞれの強度に従い格付けする段階、及び格付けされた候補速度の互いの関係を有する速度体系を編集する段階、を有する。
【０００９】
楽曲の拍子記号が特定のパルス、例えば３拍／小節を有すると示しても、楽曲を視聴した時、楽曲のジャンル、楽器の種類、演奏方法、視聴者の気分及び複数の他の要素に依存して、他のより遅い又は速い速度が視聴者により知覚される場合がある。ある視聴者は二分音符又は四分音符のレベルのより速い速度を知覚し、同時に別の視聴者は同様により遅い速度を知覚する場合がある。これらの速度は、他の視聴者により知覚される更なる速度と共に、楽曲の「候補速度」である。
【００１０】
「音楽入力信号」は、ＭＰ３音楽ファイル等の音楽データファイルから生じ得る信号である。音楽入力信号はまた、例えばマイクロフォンからのアナログ信号であって良い。アナログ信号は、更なるデジタル信号処理のためにデジタル形式に変換されることが望ましいが、必ずしも必要ではない。音楽入力信号は、曲の最初から最後までの完全な再生、又は抜粋であって良い。簡単のため、以下の「音楽入力信号」又は「音楽出力信号」という表現は、「楽曲」を意味し、また逆も同様である。
【００１１】
音楽入力信号の速度の曖昧さの指標の決定に適したシステムは、音楽入力信号の候補速度を識別する速度識別装置、候補速度をそれらのそれぞれの強度に従い格付けする格付け装置、及び格付けされた候補速度の互いの関係を有する速度体系を編集するコンパイラーを有する。
【００１２】
方法及びシステムは、従って、速度体系の形式に編集された楽曲の速度の曖昧さの指標を自動的に決定し、そして速度体系に従いユーザーに楽曲を選択及び利用させる簡易な方法を提供する。
【発明を実施するための最良の形態】
【００１３】
請求の範囲及び以下の説明は、特に有利な実施例及び本発明の特徴を開示する。
【００１４】
候補速度は、基本的に複数の方法で格付けされ得る。望ましくは、しかしながら、主要速度は候補速度の中から識別され、そして残りの候補速度は従属速度として識別される。次に候補速度は、主要から従属への順序で格付けされ得る。特定の楽曲を視聴する場合、視聴者の大部分は、１つの特定の速度を知覚する傾向があるが、少数は異なる速度を知覚する場合がある。この場合、大部分の視聴者に知覚された速度は、少数の視聴者により知覚された速度より高く格付けされる。高い及び低い格付けの間の関係は、その楽曲の速度の曖昧さの指標である。高い格付けの速度候補は、「主要速度」として表され、低い格付けの速度は「従属速度」として表される。同様に、特定の楽曲では、１つの特定の速度が殆ど全ての視聴者により知覚され、そして異なる速度は無視できるほど少数の視聴者により知覚され得る。この場合、その楽曲には１つの候補速度だけが存在する。つまり１つの主要速度が存在し、曖昧さは存在しない。反対に、別の楽曲の視聴者は、複数の異なる速度を知覚する場合、１つ以上の主要速度が存在し、残りは従属速度となる。３、４又は更に多くの速度が視聴者により知覚され得、それら全ては知覚される可能性に従い格付けされ得る。複数の速度が、多かれ少なかれ等しい強さに知覚された場合、知覚された速度は等しく格付けされる。楽曲に指定された「公式」速度は、必ずしも主要速度にならず、より低い格付けになる場合がある。
【００１５】
本発明のこの実施例では、速度の曖昧さは、従って主要速度の従属速度に対する相対強度又は可能性の指標である。曖昧さの指標は、知覚される主要及び従属速度候補の可能性の間の比であって良い。より具体的には、曖昧さの指標は、Ｌ１は最も主要な速度の可能性（０．０から１．０の範囲）及びＬ２は次に最も主要な速度の可能性である時、Ｌ２／Ｌ１として計算され得る。このように、速度の曖昧さの指標は、０．０と１．０の間になるよう正規化される。最も簡単な場合には、楽曲は、１つの主要速度を有し、如何なる従属速度も検出されない。この場合、単一の速度は１．０の可能性を有し、従って０．０の曖昧さの値を与えられる。別の単純な例では、２つの速度が検出され、各速度は強度がほぼ等しく、各速度は視聴者により等しく知覚される可能性を有し、従ってそれら速度の可能性の値は等しい。従って、曖昧さの指標は１．０である。２つ以上の速度が知覚される可能性がある場合、全体の速度の曖昧さは、以上のように計算できるが、２つの最も主要な速度候補のみを用いる。格付けされた速度値、それらの可能性の指標及び全体の速度の曖昧さは、速度の曖昧さの体系に編集される。この編集では、検出された速度のｂｐｍ値は格付け又は強度の降順に列挙され、次に各従属速度の可能性の値が続き、最後に全体の速度の曖昧さが続く。
【００１６】
本発明のある実施例では、速度の曖昧さの体系は、音楽信号に割り当てられる。音楽信号の速度の曖昧さの体系は、例えばポインター又は参照を有するリストに編集される。リストは、どのデータベースから楽曲を読み出すことができるかを示す、楽曲へのポインター、及び楽曲に関連した速度体系への別のポインターを有して良い。また、リストは、音楽のタイトル、速度、曖昧さの指標、等により検索可能であって良い。音楽データベースは、速度体系のリストと別の記憶装置にあって良い。又はそれらは同一の装置、例えばパーソナルコンピューター、ＣＤ又はＤＶＤ等に格納されて良い。音楽データベースは、１つの位置に格納されて良く、又は複数の装置、例えば音楽ＣＤのコレクションに跨って分散されて良い。
【００１７】
本発明の好適な実施例では、速度体系は、音楽入力信号を有する音楽データファイルに、例えばＭＰ３音楽ファイルのヘッダーのＩＤタグの独自の部分に直接挿入される。つまり、速度体系及びそれが表す情報が、単に音楽データファイルから読み込まれ、そして先ず音楽データファイルを捜し出し別のデータベースから読み出すために如何なる追加作業も必要ないようにする。
【００１８】
本発明のある実施例では、候補速度は、予め処理された音楽信号により駆動される一連の共振フィルターバンクの出力から識別される。このようなシステムは、速度に対する人間の知覚の多くの類似した特徴を示している。
【００１９】
従って、本発明の好適な実施例では、速度識別装置は、音楽入力信号を異なる周波数帯に分離する帯域通過フィルターの配列を有する。これら周波数帯のそれぞれは、次に複数の共振フィルターバンクへ渡される。
【００２０】
本発明の特に好適な実施例では、各配列又は共振フィルターバンクは、共振フィルターの同一の構成を有する。つまり、各周波数帯は同一の方法で処理される。共振フィルターは、音楽の拍又はその共振周波数に対応する速度を識別する。共振フィルター配列の各共振フィルターは、重要な候補速度、例えば６０ｂｐｍ、８０ｂｐｍ、１２０ｂｐｍ等に対応する。本発明の特に有利な実施例は、全ての共通するｂｐｍ値を網羅するために共振バンク内に十分に多くの共振器を有する。また、フィルターは、特定の重要な速度へ合わせられるような方法で実現されて良い。
【００２１】
各共振フィルターのエネルギー出力は、次に共振器エネルギー計算機で長期にわたり計算される。
【００２２】
類似の周波数を有する共振器の出力、例えば１２０ｂｐｍに合わせられた全ての共振器の出力は、次にエネルギー加算器で互いに加算され、各速度候補毎に全体のエネルギー値を与える。本発明の好適な実施例では、システムは、候補速度の合計エネルギー値を比較しそれらをそれらの相対エネルギー強度の順で格付けする格付け器を有する。これは、音楽入力信号の適切な処理及び共振フィルターバンクの構造／構成により、より高いエネルギー値を有する速度は、視聴者により主要であると知覚される可能性がより高いからである。速度体系コンパイラーは、次に相対強度値を検証し、これらの値に基づき楽曲の速度体系を編集する。
【００２３】
本発明の更に好適な実施例は、ユーザーに、速度体系が決定される方法及び速度体系を楽曲が生成される速度に関連付ける方法を制御させる。この目的のため、ユーザーは望ましくは、例えば閾値レベルを指定できる。この閾値レベルを超えると、出力は共振器の周波数が速度候補と見なされなければならない。また、ユーザーは、異なる速度候補間の関係のパラメータ、例えば主要及び従属速度候補間の最大許容誤差を指定することを望んで良い。更に、ユーザーは、速度体系が符号化される方法、及び速度体系が音楽入力信号に含まれるべきか又は別の位置に格納されるべきかを指定して良い。従って、システムはユーザー相互作用のために適切なインターフェースを有することが望ましい。
【００２４】
速度体系は、楽曲の速度に従い楽曲を分類するために利用されて良い。関係は、楽曲の異なる速度の間で表される。速度体系で供給された情報を用い、楽曲は特定の速度、ある単一の主要速度、又は複数の速度で捜し出される。従って、楽曲は音楽データベースから楽曲の速度体系に基づき選択でき、同時に他の適さない楽曲は拒否される。
【００２５】
望ましくは、本発明により生成される速度体系は、一連のタイトルから特定の速度体系に従い楽曲を選択する適切な音声処理装置により利用されるだろう。音声処理装置は、例えばレコーディングスタジオの独立型装置であって良く、又は例えばパーソナルコンピューター又は家庭用娯楽装置のような別の装置の部分として組み込まれて良い。ここで「音声処理装置」は、音声信号又は音声データを処理、選択、格納、読み出し、及び入力及び／又は出力できる装置である。
【００２６】
以上に説明された速度体系を生成するシステムは、音声処理装置に組み込まれて良い。また、楽曲及び楽曲に関連した速度体系は、本発明による記憶装置に格納されて良い。このような記憶装置は、例えば、ＣＤ、ハードディスク、ＤＶＤ、メモリースティック等であって良い。速度体系は、音楽データファイルに組み込まれるか、又はメモリーの別のセクター又はブロックに格納されて良い。この場合、音声処理装置は、速度体系を生成するシステムを有する必要がない。装置は速度体系をメモリーから読み出しそれを関連する楽曲へ割り当てることができれば十分である。
【００２７】
音声処理装置の好適な実施例では、音楽問い合わせシステムは、音楽データベースを検索し、特定の速度体系で楽曲を見付けることができる。ユーザーは、特定の主要速度、速度の曖昧さの指標、及びある可能性の値を有する従属速度を有する楽曲を要求して良い。音楽問い合わせシステムは、次に１つ以上の音楽データベースを検索し、適切な楽曲を見付けて良い。ユーザーは、曲のジャンル、例えばジャズの曲又はヒップホップというように更に指定して良い。速度の曖昧さの値の範囲はまた、特定の範囲内であるよう指定されて良い。このように速度パラメータを指定することにより、ユーザーは、音楽問い合わせシステムを利用し、高いレベルの速度の曖昧さを有する曲、又は単一の明確な速度を有する、又は如何なる速度の曖昧さも有さない楽曲を、ユーザーの要求に従い見付けて良い。
【００２８】
好適な実施例では、音声処理装置は、家庭用トレーニングマシン又はフィットネススタジオ又は理学療法訓練で利用されるトレーニング装置のような運動器具に組み込まれて良い。音声処理装置は、ユーザーのトレーニング計画に適する速度体系に従い音楽データベースから楽曲を選択できる。電子機器は、望ましくはユーザーの個別の要件に合わせ設定される。ユーザーが一般に１つ以上の候補速度を有する楽曲より速い速度、従って結果として可能な有害な影響を有する過度に速いペースで運動する傾向がある場合、装置は特にトレーニングに望ましいペースに合う速度を有し如何なる曖昧さも有さない楽曲を選択できる。また、装置は、トレーニングのペースより遅い主要速度を有するが、ユーザーはより速い速度で運動する傾向があるので、より速い従属速度を有する楽曲を選択し、トレーニングのペースに合わせることができる。
【００２９】
別の好適な実施例では、音声処理装置は、携帯型トレーニング装置、例えば携帯型ジョギング支援装置に組み込まれて良い。ユーザーは、トレーニング目標、例えば最大心拍を指定して良く、音声処理装置に好きな音楽ファイルを、例えばＭＰ３ファイル形式で予め読み込み、トレーニングに伴わせて良い。同様に、装置は、音楽データファイルをメモリースティック又はスマートカードから読み出す適切なインターフェースを有して良い。音声処理装置は、音楽ファイルが必要に応じインターネットからダウンロードできるように、携帯電話と接続され又は組み込まれて良い。ユーザーは、音楽選択肢の好きな速度の曖昧さ及び速度体系を指定して良い。例えばユーザーは速い速度及び潜在的な遅い速度を有する音楽を好むかも知れない。音声処理装置は、ユーザーのジョギング速度を決定する手段を有して良く、及び従って音楽の選択を適用して良い。
【００３０】
特に好適な実施例では、ユーザーの心拍が決定され及び要求に応じて音楽選択が適用されるように、音声処理装置は、心拍数モニターと接続されて良い。例えば、ユーザーが楽曲の速度より速くジョギングし、及びユーザーの心拍が所定値を超える場合、音声処理装置はより遅い速度を有するより適切な曲を選択し、そしてこの曲をフェードインして良い。
【００３１】
音声処理装置の別の実施例は、音楽データベースから所望の順序に従い楽曲を選択する自動ＤＪ装置を有する。このような自動ＤＪ装置は、レコーディングスタジオ、ラジオ又はテレビ局、ディスコ、等の専門装置であって良く、又はＰＣ、家庭用娯楽装置、ＰＤＡ、携帯電話、等に組み込まれて良い。自動ＤＪ装置は、選択された楽曲を再生する音声出力を有して良く、音楽を再生する別の手段と接続されて良い。自動ＤＪ装置は、例えばインターネットにある遠隔の音楽データベース、又は例えば家庭用娯楽装置のＭＰ３ファイルのリストのようなローカルの音楽データベースと接続する手段を有して良い。ユーザーは、例えば、曲の第１のセットはロックンロールであり、次のセットはヒップホップ、続くセットはダンス、そしてこのセットの次に遅い速度のセットが続くというように、音楽の種類の所望の順序を指定して良い。自動ＤＪ装置は、音楽データベースから速度体系及びジャンルを検索し、指定された順序に合わせ、及び楽曲を所望の順序のリストに編集する。最後の楽曲を除いて、各楽曲の次に他の楽曲が続く。初めの曲がフェードアウトする間に次の曲がフェードインする。自動ＤＪ装置は、曲の間の速度の不一致が最小になるよう、その結果、２曲間のクロスフェーディング又は遷移の聞こえが良いように、曲の速度体系に基づき曲を選択する。例えば、一連の曲は、１番目の曲が１８０ｂｐｍの主要速度を有し、２番目の曲が高い速度の曖昧さを有する２つの速度９０ｂｐｍと１８０ｂｐｍを有し、そして３番目の曲が主要速度９０ｂｐｍを有するように選択されて良い。１番目及び３番目の曲は、更に低い曖昧さの値を有する従属速度を有して良い。次々に再生された場合、速度は１８０から９０へ気付かれずに切れ目なく続く。
【００３２】
本発明によるシステムは、望ましくは、コンピュータープログラムとして実現され得る。フィルターバンク、共振フィルターバンク、エネルギー加算器、格付け器、速度体系コンパイラーなどのような、音楽入力信号の曖昧さの指標を決定する全ての要素は、コンピュータープログラムモジュールの形式で実現できる。既存のハードウェア装置が本発明の特徴から利益を得るよう利用され得るよう、必要とされる如何なるソフトウェア又はアルゴリズムも、ハードウェア装置のプロセッサーで符号化されて良く、又は個別のプロセッサーで符号化されて良い。また、本発明がデジタル及び／又はアナログ音楽入力信号に適用され得るよう、音楽入力信号の曖昧さの指標を決定する要素は、同様にハードウェア装置を用いて実現され得る。
【００３３】
本発明の他の目的及び特徴は、図と関連した以下の詳細な説明から明らかである。しかしながら、図は単に説明を目的とし、本発明を制限すると見なされるべきではない。
【００３４】
以下の図の説明では、システムは、ユーザーインターフェースの通常の方法でユーザーにより発行された命令を解釈する手段を有すると理解される。
【００３５】
図１は、音楽入力信号１の速度体系４を計算するシステム７を示す。システム７では、音楽入力信号１は、最初に４個の広周波数領域に４個の帯域通過フィルター１１を用いて分離される。この時、音楽入力信号１１は、高、中高、中低及び低周波数成分を表す４個の周波数帯に分離される。これらの周波数帯は、それぞれ半波整流器１５へ供給され、半波整流器１５で高域通過濾波され、差分をとられ、及び更なる処理への準備のため半波整流されることにより、第１の処理を通過する。高域濾波は、一般に速度及びリズム知覚に重要な事象の開始と関連した信号の急激な遷移を強調する。
【００３６】
半波整流器１５の出力は、次にそれぞれ共振フィルターバンク１２へ渡される。各共振フィルターバンク１２は、共振フィルターの個別のセットを有する。共振周波数は、再決定された値、又は値の所定の範囲からユーザーにより選択された値のセットを用い、興味のある速度の範囲に合わせられる。各共振器のエネルギー出力は、所定の期間の間に共振器の出力信号を積分することにより、長い期間をかけて対応するエネルギー加算器１３で計算される。加算された各共振器のエネルギー出力又は候補速度は、加算器１４へ渡される。加算器１４では、類似の周波数を有する共振器の出力は、互いに加算され、各候補速度の全ての周波数帯で合計値２を得る。
【００３７】
合計エネルギー値２は、次に格付け器９で比較される。格付け器９は、候補速度をそれらの相対エネルギー強度に従い格付けされた速度候補２’のリストに並べ替える。所定の閾値レベルより高い値だけが考慮される。閾値レベルは、所定の値であって良く、又はユーザー１６により変更されて良い。より高い値は主要速度として識別され、より低い値は従属速度として識別される。
【００３８】
格付けされた速度２’の間の関係は、速度体系コンパイラー１０により計算され、この楽曲の速度体系４を与える。曖昧さの指標は、０．０と１．０の間になるよう正規化される。０．０の値は、速度の曖昧さが存在しないことを示す。１．０の値は、２つ以上の等しい強さの速度候補が存在することを示す。速度体系４は、１つ以上の主要速度、それに続く従属速度及び曖昧さの指標を有する。
【００３９】
速度体系４は、データベース３へ個別に出力できるか、又は音楽入力信号１とユーザー１６により特定された方法で、例えば速度体系４をＭＰ３音楽ファイルヘッダーの独自のＩＤタグにエディター５を利用して書き込み、及び音楽ファイル６を記憶装置及び／又はデータベース１７へ格納することにより結合できる。
【００４０】
図２は、家庭用トレーニングマシン、サイクリングマシン等のような既知の装置２１と接続された又は組み込まれた音声処理装置２０を示す。音声処理装置２０は、ユーザー２２のトレーニングプログラムを支援する速度体系に基づき楽曲を選択する。ユーザーインターフェース２５を利用して、ユーザー２２は、速度及び速度の変化に関して及び／又は望ましい心拍及び心拍の変化に関してトレーニングの内容を指定できる。トレーニング制御部２６は、ユーザーのトレーニングの過程を監視する。
【００４１】
トレーニングに伴う音楽は、１つ以上の情報源から選択される。ＳＤカード又はＭＭＳカード３１のカード読み取り装置２７は、ユーザーにユーザー自身の個人的な好きな音楽のコレクションを供給させる。また、音声処理装置２０は、内部音楽データベース２８、例えばＭＰ３音楽ファイルのコレクションから、又は外部データベース２９、例えばインターネットから楽曲を検索及びダウンロードすることにより音楽を選択できる。カード３１又はデータベース２８、２９に格納された音楽ファイル６は、音楽データ及び速度体系４を有する。指定された速度を有する如何なる曲も見付からない場合、トレーニング制御部２６は、曲が所望の速度に合うまで僅かに速くしたり遅くしたりできる。選択された音楽２３は、音楽出力装置２４、この場合ヘッドフォンを介して出力される。
【００４２】
脈拍計又はステップカウンター３０は、ユーザーのトレーニング過程に関するフィードバックを提供する。トレーニング制御部２６は、このフィードバック及び所定のトレーニングプログラムに基づき、ユーザー２２の運動が速過ぎないか又は十分速いかを判別できる。
【００４３】
音楽の選択は、従ってより適切な楽曲を情報源（２６、２７、２８）の１つから音楽ファイル６の速度体系４に従い選択しこれを出力すること、又は音楽の速度をジョギングする人を適切に加速又は減速させその結果ジョギングする人の心拍を上昇又は下降させるよう調整することの何れかにより、調整される。
【００４４】
本発明は、好適な実施例及びその変形例の形式で開示されたが、本発明の範囲から逸脱することなく種々の更なる変更及び変形が本発明になされ得ることが明らかである。例えば、複数エージェント法又は確率論的手法のような、説明された以外の一般に知られる方法は、音楽の速度を音楽入力信号から引き出すために用いられ得る。
【００４５】
明確化のため、本願明細書で用いられている「１つの」又は「ある」は、複数を排除するものではなく、また「有する」は他の段階又は要素を排除するものではない。「装置」は、単一の存在であると明記されていない限り、複数のブロック又は機器を有して良い。
【図面の簡単な説明】
【００４６】
【図１】本発明の実施例による、楽曲の速度の曖昧さの指標を決定するシステムのブロック図である。
【図２】本発明の実施例による、速度体系に基づき楽曲を選択するトレーニング装置のブロック図である。
【図１】
2007519048.tif 000003
【図２】
2007519048.tif 000004
【国際調査報告】
2007519048.tif 000005
2007519048.tif 000006
2007519048.tif 000007